(57)【要約】【課題】  利用者の利便性を向上させることができる新たなアクセス対象情報検索を行う。【解決手段】  アクセス対象に関する評価登録が会員利用者により行われた場合に、利用者プロファイル情報更新部１１１が、当該評価登録が行われたアクセス対象と、当該評価登録の内容とを関連付け、当該会員利用者の利用者属性情報の１つとして、利用者プロファイル情報ＵＰＩに登録する。また、一の会員利用者によりアクセス対象の検索情報の要求を受信した場合に、アクセス対象情報提供部１１２が、利用者プロファイル情報ＵＰＩに基づいて、当該一の会員利用者と同様の志向性の他の会員利用者を特定し、当該他の会員利用者ごとの指定された分野のアクセス対象ごとのアクセス対象評価登録に基づいて、一の会員利用者が既にアクセス対象評価登録を行ったアクセス対象を除いたアクセス対象の検索情報を当該一の会員利用者に提供する。【選択図】  図２
2020004324.tif 000002
【特許請求の範囲】
【請求項１】
利用者の端末装置を介して、利用者にアクセス対象の検索情報を提供するアクセス対象情報検索装置であって、
会員利用者ごとに、少なくとも１種類の利用者属性情報である利用者プロファイル情報が登録される利用者プロファイル情報記憶部と；
前記提供された検索情報を参照したアクセス対象へのアクセス、及び、前記アクセスされたアクセス対象の評価登録であるアクセス対象評価登録が会員利用者により行われた場合に、前記アクセス対象評価登録が行われたアクセス対象と、前記アクセス対象評価登録の内容とを関連付け、前記アクセスを行った会員利用者の利用者属性情報の１つとして、前記利用者プロファイル情報記憶部に登録する利用者プロファイル情報更新部と；
一の会員利用者により指定された分野のアクセス対象の検索情報の要求を受信した場合に、前記利用者プロファイル情報に基づいて、前記一の会員利用者と同様の志向性を有すると推定される他の会員利用者を特定し、前記他の会員利用者ごとの前記指定された分野のアクセス対象ごとのアクセス対象評価登録の内容に基づいて、前記一の会員利用者が既にアクセス対象評価登録を行ったアクセス対象を除いたアクセス対象の検索情報を生成し、前記生成された検索情報を前記一の会員利用者に提供するアクセス対象情報提供部と；
を備えることを特徴とするアクセス対象情報検索装置。
【請求項２】
前記アクセス対象情報提供部は、
前記一の会員利用者が高評価のアクセス対象評価登録を行ったアクセス対象に対して、同様のアクセス対象評価登録を行った前記一の会員利用者以外の会員利用者を特定した後、前記特定された会員利用者の利用者プロファイル情報と前記一の会員利用者の利用者プロファイル情報とから評価された志向類似性に基づいて、前記他の会員利用者を特定し、
前記他の会員利用者ごとの前記指定された分野のアクセス対象ごとのアクセス対象評価登録の内容に基づいて、前記指定された分野において、前記他の会員利用者内で高評価であったと判断されるアクセス対象の群である第１アクセス対象群と、前記指定された分野において低評価であったと判断されるアクセス対象の群である第２アクセス対象群とを抽出し、
前記第１アクセス対象群及び前記第２アクセス対象群の双方に含まれるアクセス対象を前記第１アクセス対象群から除いた結果に基づいて、前記検索情報を生成する、
ことを特徴とする請求項１に記載のアクセス対象情報検索装置。
【請求項３】
前記アクセス対象評価登録には、評価が高いほど高くなる評価ポイントの登録が含まれ、
前記アクセス対象情報提供部は、前記指定された分野のアクセス対象ごとの前記他の会員利用者により登録された前記評価ポイントの総計に基づいて、前記指定された分野のアクセス対象ごとに、高評価であったか、及び、低評価であったかを判断する、
ことを特徴とする請求項２に記載のアクセス対象情報検索装置。
【請求項４】
前記アクセス対象評価登録には、前記アクセス対象評価登録が行われたアクセス対象の再利用登録の有無、及び、前記アクセス対象評価登録を行ったアクセス対象の廃棄登録の有無が含まれ、
前記アクセス対象情報提供部は、前記指定された分野のアクセス対象ごとの前記他の会員利用者による前記再利用登録の総数及び前記廃棄登録の総数に更に基づいて、前記指定された分野のアクセス対象ごとに、高評価であったか、及び、低評価であったかを判断する、
ことを特徴とする請求項３に記載のアクセス対象情報検索装置。
【請求項５】
前記利用者プロファイル情報更新部は、前記会員利用者が作成したコメント情報を受信した場合に、前記コメント情報の内容を解析して、前記コメント情報を送信した会員利用者の志向性情報を生成し、前記生成された志向性情報を、前記コメント情報を送信した会員利用者の利用者属性情報の１つとして、前記利用者プロファイル情報記憶部に登録する、ことを特徴とする請求項１〜４のいずれか一項に記載のアクセス対象情報検索装置。
【請求項６】
前記利用者プロファイル情報更新部は、前記会員利用者が指定したアクセス対象評価情報を含む推奨アクセス対象の情報を受信した場合に、前記推奨アクセス対象に関するアクセス対象評価情報を、前記利用者プロファイル情報記憶部に登録する、ことを特徴とする請求項１〜５のいずれか一項に記載のアクセス対象情報検索装置。
【請求項７】
前記アクセス対象情報提供部は、前記会員利用者による検索要求を受信した場合に、最大で第１の数のアクセス対象候補を含む検索情報を、前記検索要求を行った会員利用者に提供する、ことを特徴とする請求項１〜６のいずれか一項に記載のアクセス対象情報検索装置。
【請求項８】
前記アクセス対象情報提供部は、
前記会員利用者によるアクセス対象評価登録の結果に基づいて、分野ごとのアクセス対象のランキングを作成し、
非会員利用者により指定された分野のアクセス対象の検索情報の要求を受信した場合に、前記ランキングに基づいて、最大で前記第１の数よりも少ない第２の数のアクセス対象候補を含む検索情報を生成し、前記検索要求を行った非会員利用者に提供する、ことを特徴とする請求項７に記載のアクセス対象情報検索装置。
【発明の詳細な説明】
【技術分野】
【０００１】
本発明は、アクセス対象情報検索装置に係り、より詳しくは、利用者端末装置を介して、利用者にアクセス対象検索情報を提供するアクセス対象情報検索装置に関するものである。
【背景技術】
【０００２】
近年におけるインターネット技術の進展及びインターネット通信の利用者の増大にともない、インターネット上においてＵＲＬ（Uniform Resource Locator）で特定されるＷＥＢサイトやコンテンツを検索し、検索結果を利用者端末装置に送信する検索エンジンの技術が提案されている。こうした提案技術の一つとして、互いに類似性が有ると評価された複数の利用者を含むグループ内におけるアクセス対象のアクセス数や推奨ポイントにより定まるグループ内ランキングに基づいて、推奨アクセス対象情報を生成し、生成された推奨アクセス情報を、アクセス対象検索情報として、検索要求を行った利用者に提供するようになっている（特許文献１参照：以下、「従来例」と呼ぶ）。
【０００３】
この従来例の技術では、特定グループに属する利用者がアクセス対象へのアクセスが行われるたびに、アクセスを行った利用者が属するグループにおける当該アクセス対象の推奨ポイントを所定ポイントだけ増加させるようになっている。また、特定グループに属する利用者がアクセス対象に対する評価登録が行われた場合に、当該評価登録を行った利用者が属するグループにおける当該アクセス対象の推奨ポイントを、当該評価登録の内容に対応したポイントだけ変更するようになっている。
【先行技術文献】
【特許文献】
【０００４】
【特許文献１】特許第４３７１３８２号公報
【発明の開示】
【発明が解決しようとする課題】
【０００５】
上述した従来例の技術では、グループ内ランキングに基づいて、推奨アクセス対象情報が生成される。この結果、当該グループに属する利用者の全員に共通の推奨アクセス対象情報が生成されることになる。
【０００６】
しかしながら、同一のグループに属する利用者同士であっても、志向性は全く同一とはいえない。このため、個々の利用者の志向性に合わせた推奨アクセス対象情報の提供の観点からは、改善の余地があると考えられる。
【０００７】
また、利用者がアクセス対象にアクセスした後に新たな検索要求を行った場合、当該アクセス済のアクセス対象のグループ内ランキング位置が上位にあると、当該新たな検索要求に応答して提供される推奨アクセス対象情報に当該アクセス済のアクセス対象が含まれることになる。このため、提供される推奨アクセス対象情報の利用者にとっての新鮮さが損なわれる可能性があった。この観点からも従来例の技術に対する改善の余地があると考えられる。
【０００８】
本発明は、上記の事情を鑑みてなされたものであり、個々の利用者の志向性に適合した有用なアクセス対象への効率的なアクセスを支援することにより、利用者の利便性を向上させることができる新たなアクセス対象情報検索装置を提供することを目的とする。
【課題を解決するための手段】
【０００９】
本発明は、利用者の端末装置を介して、利用者にアクセス対象の検索情報を提供するアクセス対象情報検索装置であって、会員利用者ごとに、少なくとも１種類の利用者属性情報である利用者プロファイル情報が登録される利用者プロファイル情報記憶部と；前記提供された検索情報を参照したアクセス対象へのアクセス、及び、前記アクセスされたアクセス対象の評価登録であるアクセス対象評価登録が会員利用者により行われた場合に、前記アクセス対象評価登録が行われたアクセス対象と、前記アクセス対象評価登録の内容とを関連付け、前記アクセスを行った会員利用者の利用者属性情報の１つとして、前記利用者プロファイル情報記憶部に登録する利用者プロファイル情報更新部と；一の会員利用者により指定された分野のアクセス対象の検索情報の要求を受信した場合に、前記利用者プロファイル情報に基づいて、前記一の会員利用者と同様の志向性を有すると推定される他の会員利用者を特定し、前記他の会員利用者ごとの前記指定された分野のアクセス対象ごとのアクセス対象評価登録の内容に基づいて、前記一の会員利用者が既にアクセス対象評価登録を行ったアクセス対象を除いたアクセス対象の検索情報を生成し、前記生成された検索情報を前記一の会員利用者に提供するアクセス対象情報提供部と；を備えることを特徴とするアクセス対象情報検索装置である。
【００１０】
このアクセス対象情報検索装置では、提供された検索情報を参照したアクセス対象へのアクセス、及び、アクセスされたアクセス対象の評価登録であるアクセス対象評価登録が会員利用者により行われた場合に、利用者プロファイル情報更新部が、当該アクセス対象評価登録が行われたアクセス対象と、当該アクセス対象評価登録の内容とを関連付け、アクセスを行った会員利用者の利用者属性情報の１つとして、利用者プロファイル情報記憶部に登録する。また、一の会員利用者により指定された分野のアクセス対象の検索情報の要求を受信した場合に、アクセス対象情報提供部が、利用者プロファイル情報に基づいて、当該一の会員利用者と同様の志向性を有すると推定される他の会員利用者を特定する。ここで、他の会員利用者の特定は、新たな検索要求を受信するたびに行うようにしてもよいし、会員利用者ごとに定期的に上述の特定処理を行うようにし、検索要求を受信した時点における特定内容を、検索要求を受信した時点で採用するようにしてもよい。
【００１１】
引き続き、アクセス対象情報提供部が、当該他の会員利用者ごとの指定された分野のアクセス対象ごとのアクセス対象評価登録の内容に基づいて、一の会員利用者が既にアクセス対象評価登録を行ったアクセス対象を除いたアクセス対象の検索情報を生成する。そして、アクセス対象情報提供部が、生成された検索情報を当該一の会員利用者に提供する。
【００１２】
したがって、本発明のアクセス対象情報検索装置によれば、個々の利用者の志向性に適合した有用なアクセス対象への効率的なアクセスを支援することにより、利用者の利便性を向上させることができる。
【００１３】
本発明のアクセス対象情報検索装置では、前記アクセス対象情報提供部が、前記一の会員利用者が高評価のアクセス対象評価登録を行ったアクセス対象に対して、同様のアクセス対象評価登録を行った前記一の会員利用者以外の会員利用者を特定した後、前記特定された会員利用者の利用者プロファイル情報と前記一の会員利用者の利用者プロファイル情報とから評価された志向類似性に基づいて、前記他の会員利用者を特定し、前記他の会員利用者ごとの前記指定された分野のアクセス対象ごとのアクセス対象評価登録の内容に基づいて、前記指定された分野において、前記他の会員利用者内で高評価であったと判断されるアクセス対象の群である第１アクセス対象群と、前記指定された分野において低評価であったと判断されるアクセス対象の群である第２アクセス対象群とを抽出し、前記第１アクセス対象群及び前記第２アクセス対象群の双方に含まれるアクセス対象を前記第１アクセス対象群から除いた結果に基づいて、前記検索情報を生成する構成とすることができる。
【００１４】
この場合には、検索情報の生成に際して、アクセス対象情報提供部は、まず、一の会員利用者が高評価のアクセス対象評価登録を行ったアクセス対象に対して、同様のアクセス対象評価登録を行った当該一の会員利用者以外の会員利用者を特定する。引き続き、アクセス対象情報提供部は、当該特定された会員利用者の利用者プロファイル情報と当該一の会員利用者の利用者プロファイル情報とから評価された志向類似性に基づいて、他の会員利用者を特定する。
【００１５】
次に、アクセス対象情報提供部は、他の会員利用者ごとの検索対象として指定された分野のアクセス対象ごとのアクセス対象評価登録の内容に基づいて、当該指定された分野において、他の会員利用者内で高評価であったと判断されるアクセス対象の群である第１アクセス対象群と、当該指定された分野において低評価であったと判断されるアクセス対象の群である第２アクセス対象群とを抽出する。そして、アクセス対象情報提供部は、第１アクセス対象群及び第２アクセス対象群の双方に含まれるアクセス対象を第１アクセス対象群から除いた結果に基づいて、検索情報を生成する。
【００１６】
このため、個々の利用者の志向性に適合した有用なアクセス対象を合理的に検索することができる。
【００１７】
ここで、前記アクセス対象評価登録には、評価が高いほど高くなる評価ポイントの登録が含まれ、前記アクセス対象情報提供部が、前記指定された分野のアクセス対象ごとの前記他の会員利用者により登録された前記評価ポイントの総計に基づいて、前記指定された分野のアクセス対象ごとに、高評価であったか、及び、低評価であったかを判断する構成とすることができる。この場合には、他の会員利用者内で、高評価であったか、及び、低評価であったかを、簡易に、かつ、合理的に判断することができる。
【００１８】
さらに、前記アクセス対象評価登録には、前記アクセス対象評価登録が行われたアクセス対象の再利用登録の有無、及び、前記アクセス対象評価登録を行ったアクセス対象の廃棄登録の有無が含まれ、前記アクセス対象情報提供部が、前記指定された分野のアクセス対象ごとの前記他の会員利用者による前記再利用登録の総数及び前記廃棄登録の総数に更に基づいて、前記指定された分野のアクセス対象ごとに、高評価であったか、及び、低評価であったかを判断する構成とすることができる。この場合には、他の会員利用者内で、高評価であったか、及び、低評価であったかを、更に合理的に判断することができる。
【００１９】
また、本発明のアクセス対象情報検索装置では、前記利用者プロファイル情報更新部が、前記会員利用者が作成したコメント情報を受信した場合に、前記コメント情報の内容を解析して、前記コメント情報を送信した会員利用者の志向性情報を生成し、前記生成された志向性情報を、前記コメント情報を送信した会員利用者の利用者属性情報の１つとして、前記利用者プロファイル情報記憶部に登録する構成とすることができる。この場合には、利用者の志向性が反映されるコメント情報を利用者属性情報の１つとして登録するので、利用者属性情報に基づく会員利用者間における志向性の類似性判断のための情報を豊富化させることができる。
【００２０】
また、本発明のアクセス対象情報検索装置では、前記利用者プロファイル情報更新部が、前記会員利用者が指定したアクセス対象評価情報を含む推奨アクセス対象の情報を受信した場合に、前記推奨アクセス対象に関するアクセス対象評価情報を、前記利用者プロファイル情報記憶部に登録する構成とすることができる。この場合には、会員利用者が指定した推奨アクセス対象の当該会員利用者の評価結果を登録することができる。
【００２１】
また、本発明のアクセス対象情報検索装置では、前記アクセス対象情報提供部が、前記会員利用者による検索要求を受信した場合に、最大で第１の数のアクセス対象候補を含む検索情報を、前記検索要求を行った会員利用者に提供する構成とすることができる。この場合には、最大で第１の数のアクセス対象候補という厳選されたアクセス対象候補の検索情報が、検索要求を行った会員利用者に提供されるので、少ない情報量で、当該会員利用者にとって個々の利用者の志向性に適合した有用なアクセス対象の検索情報が提供できる。
【００２２】
ここで、前記アクセス対象情報提供部は、前記会員利用者によるアクセス対象評価登録の結果に基づいて、分野ごとのアクセス対象のランキングを作成し、非会員利用者により指定された分野のアクセス対象の検索情報の要求を受信した場合に、前記ランキングに基づいて、最大で前記第１の数よりも少ない第２の数のアクセス対象候補を含む検索情報を生成し、前記検索要求を行った非会員利用者に提供する構成とすることができる。この場合には、本発明のアクセス対象情報検索装置にとって有益なアクセス対象評価登録を行ってくれる会員利用者と、アクセス対象評価登録を行ってくれない非会員利用者との間で、提供される検索情報の内容に合理的な差異を設けることができる。
【発明の効果】
【００２３】
以上説明したように、本発明のアクセス対象情報検索装置によれば、個々の利用者による有用なアクセス対象への効率的なアクセスを支援することにより、利用者の利便性を向上させることができるという効果を奏する。
【図面の簡単な説明】
【００２４】
【図１】本発明の一実施形態に係るアクセス対象情報検索装置と接続される各種装置を説明するための図である。
【図２】図１のアクセス対象情報検索装置の構成を概略的に示すブロック構成図である。
【図３】図２の利用者プロファイル情報を説明するための図である。
【図４】図２のランキング情報を説明するための図である。
【図５】図２の利用者プロファイル情報更新部が実行する更新処理を説明するためのフローチャートである。
【図６】図２のアクセス対象情報提供部が実行するサービス提供処理における個別会員利用者向サービス提供処理を説明するためのフローチャートである。
【図７】図６の会員利用者用の検索処理を説明するためのフローチャートである。
【図８】図６の検索以外のサービス提供処理を説明するためのフローチャートである。
【図９】図２のアクセス対象情報提供部が実行するサービス提供処理における個別非会員利用者向サービス提供処理を説明するためのフローチャートである。
【発明を実施するための形態】
【００２５】
以下、本発明の一実施形態を、図１〜図９を参照して説明する。なお、図面において、同一又は同等の要素には同一の符号を付し、重複する説明は省略する。
【００２６】
［構成］
図１に示されるように、一実施形態に係るアクセス対象情報検索装置１００は、インターネット５００に接続されている。このインターネット５００には、アクセス対象情報検索装置１００に加えて、利用者端末装置３００1，３００2，…と、ＷＥＢサイトサーバ４００1，４００2，…とが接続されている。このため、アクセス対象情報検索装置１００は、利用者端末装置３００1，３００2，…及びＷＥＢサイトサーバ４００1，４００2，…との間で通信を行うことができるようになっている。ここで、利用者端末装置３００1，３００2，…としては、表示機能、音声出力機能、操作入力機能及びインターネット通信機能を有する装置、例えば、パーソナルコンピュータ、スマートフォン等を採用することができる。
【００２７】
なお、本実施形態では、「アクセス対象」は、インターネット上においてＵＲＬ等で特定されるＷＥＢサイト、コンテンツ等をいう。
【００２８】
上記のアクセス対象情報検索装置１００は、図２に示されるように、処理制御ユニット１１０と、記憶ユニット１２０とを備えている。また、アクセス対象情報検索装置１００は、外部通信ユニット１３０を備えている。
【００２９】
上記の処理制御ユニット１１０は、アクセス対象情報検索装置１００の全体を統括制御する。この処理制御ユニット１１０の構成の詳細については、後述する。
【００３０】
上記の記憶ユニット１２０は、アクセス対象情報検索装置１００において利用される様々な情報データが記憶される。この記憶ユニット１２０に記憶される情報データには、上記の利用者プロファイル情報ＵＰＩ及びランキング情報ＲＫＩが含まれている。記憶ユニット１２０には、処理制御ユニット１１０がアクセス可能となっている。
【００３１】
上記の利用者プロファイル情報ＵＰＩには、図３に示されるように、会員利用者ＩＤi（ｉ＝１，２，…）により特定される会員利用者ごとに、デモグラフィック情報ＤＧＩi、当該会員利用者がアクセスした分野（Ｂij，Ｓik）（ｊ＝１，２，…；ｋ＝１，２，…）が関連付けられて登録されている。そして、分野（Ｂij，Ｓik）ごとに、当該会員利用者がアクセスしたアクセス対象ＵＲＬijk,m（ｍ＝１，２，…）と、その評価登録結果と、その他が関連付けられて登録されている。ここで、評価登録結果には、評価ポイント、お気に入り登録及びゴミ箱登録が含まれている。
【００３２】
『デモグラフィック情報ＤＧＩi』は、当該会員利用者により会員登録時に指定される。なお、デモグラフィック情報ＤＧＩiとしては、年齢が必須指定項目となっており、職業、在住都道府県、性別等が任意指定項目となっている。
【００３３】
また、『分野（Ｂij，Ｓik）』における「Ｂij」はアクセス分野の大分類キーワードであり、「Ｓik」はアクセス分野の小分類キーワードである。本実施形態では、「Ｂij」と「Ｓik」との組み合わせにより、分野を特定したうえで、当該特定された分野におけるアクセス対象を検索するようになっている。
【００３４】
大分類キーワードＢijの例としては「映画」等が挙げられる。小分類キーワードＳikは、１つのキーワードから構成されてもよいし、複数のキーワードから構成されてもよい。小分類キーワードＳikの例としては、「鯨」、「鯨  潮噴き」等が挙げられる。なお、本実施形態では、記憶ユニット１２０内には不図示の辞書が記憶されており、「潮噴き」と「潮吹き」とは同一の小分類キーワードであると、処理制御ユニット１１０が認識するようになっている。
【００３５】
また、『評価ポイント』は、会員利用者がアクセス対象ＵＲＬijk,mの評価登録時にアクセス対象ＵＲＬijk,mに対して付与した評価ポイントである。本実施形態では、評価ポイントは１〜５のいずれかであり、値が大きくなるほど高い評価となっている。
【００３６】
また、『お気に入り』は、会員利用者がアクセス対象ＵＲＬijk,mの評価登録の際にお気に入り登録（再利用登録）がされたか否かを示す。本実施形態では、評価ポイントを付与した場合に、お気に入り登録ができるようになっている。なお、図３では、「◎（Ｎ1）」により、お気に入り登録がされたことを示している。ここで、「Ｎ1」は、アクセス対象ＵＲＬijk,mに対する評価ポイントが示されている。
【００３７】
また、『ゴミ箱』は、会員利用者がアクセス対象ＵＲＬijk,mの評価登録の際にゴミ箱登録（廃棄登録）がされたか否かを示す。本実施形態では、評価ポイントの付与の有無にかかわらず、ゴミ箱登録ができるようになっている。なお、図３では、「◎（Ｎ2）」により、お気に入り登録がされたことを示している。ここで、「Ｎ2」は、評価ポイントの付与があった場合には、対象ＵＲＬijk,mに対する評価ポイントが示され、評価ポイントの付与がなかった場合には「無」とされるようになっている。
【００３８】
また、『その他』は、後述するように、会員利用者がアクセス対象ＵＲＬijk,mの評価登録に行った口コミ情報（コメント情報）の入力結果から抽出された当該会員利用者の志向性が登録される。例えば、当該志向性としては、「マッコウ鯨：好き」、「シャチ：嫌い」等が挙げられる。
【００３９】
上記のランキング情報ＲＫＩは、会員利用者の全員による評価登録結果（評価ポイント、お気に入り登録、ゴミ箱登録）に基づいて作成される。このランキング情報ＲＫＩには、図４に示されるように、分野（Ｂp，Ｓq）（ｐ＝１，２，…；ｑ＝１，２，…）ごとのアクセス対象ＵＲＬpq,r（ｒ＝１，２，…）にランキングポイントＲＫＰpq,rに関連付けられて登録されている。
【００４０】
なお、ランキングポイントＲＫＰpq,rの算出については、後述する。
【００４１】
図２に戻り、上記の外部通信ユニット１３０は、インターネット５００を介して、他装置から送信された情報データを受信する。そして、外部通信ユニット１３０は、受信した情報データを処理制御ユニット１１０へ送る。なお、他装置から送信された情報データには、当該他装置の識別子が含まれるようになっている。また、会員利用者として操作された利用者端末装置から送信された情報データには、会員ＩＤが含まれるようになっている。
【００４２】
また、外部通信ユニット１３０は、処理制御ユニット１１０から送られた情報データを受ける。そして、外部通信ユニット１３０は、当該情報データを、インターネット５００を介して他装置へ送信する。なお、処理制御ユニット１１０から送られる情報データには、他装置の識別子が含まれるようになっている。
【００４３】
すなわち、外部通信ユニット１３０を利用することにより、処理制御ユニット１１０は、インターネット５００に接続された他装置との間で通信を行うことができるようになっている。
【００４４】
次に、上述した処理制御ユニット１１０の構成について説明する。この処理制御ユニット１１０は、利用者プロファイル情報更新部１１１と、アクセス対象情報提供部１１２とを備えている。
【００４５】
上記の利用者プロファイル情報更新部１１１は、インターネット５００を介し、会員利用者により送信されたアクセス対象評価登録情報、口コミ情報、推奨アクセス対象情報、登録内容変更情報を受ける。そして、利用者プロファイル情報更新部１１１は、これらの情報に基づいて、記憶ユニット１２０内の利用者プロファイル情報ＵＰＩを更新する。さらに、利用者プロファイル情報更新部１１１は、当該アクセス対象評価登録情報及び当該推奨アクセス対象情報に基づいて、ランキング情報ＲＫＩを更新する。
【００４６】
また、利用者プロファイル情報更新部１１１は、アクセス対象情報提供部１１２から送られた会員初期登録情報及び会員登録抹消情報を受ける。そして、利用者プロファイル情報更新部１１１は、これらの情報に基づいて、記憶ユニット１２０内の利用者プロファイル情報ＵＰＩを更新する。
【００４７】
なお、利用者プロファイル情報更新部１１１による更新処理の詳細については、後述する。
【００４８】
上記のアクセス対象情報提供部１１２は、インターネット５００を介し、利用者により送信されたサービス提供要求に応じたサービス提供処理を行う。ここで、サービス提供処理には、分野を指定した検索要求に応じた検索情報提供処理、会員登録処理及び会員登録抹消処理が含まれている。なお、検索情報提供処理には、会員用検索情報提供処理及び非会員用検索情報提供処理の２種類がある。
【００４９】
また、サービス提供処理には、推奨アクセス対象登録要求に応じた推奨アクセス対象登録用画面情報提供処理が含まれている。また、サービス提供処理には、利用者プロファイル情報の登録内容変更要求に応じた、利用者プロファイル情報の登録内容変更用画面情報提供処理が含まれている。
【００５０】
なお、アクセス対象情報提供部１１２によるサービス提供処理の詳細については、後述する。
【００５１】
本実施形態では、処理制御ユニット１１０は、中央処理装置（ＣＰＵ：Central Processing Unit）及び周辺回路を備えて構成されている。そして、様々なプログラムを実行することにより、処理制御ユニット１１０としての機能を果たすようになっている。こうした処理制御ユニット１１０が果たす機能には、利用者プロファイル情報更新部１１１の機能及びアクセス対象情報提供部１１２の機能が含まれている。
【００５２】
［動作］
次に、上記のように構成されたアクセス対象情報検索装置１００の動作について、処理制御ユニット１１０における利用者プロファイル情報更新部１１１が実行する更新処理、及び、アクセス対象情報提供部１１２が実行するサービス提供処理に主に着目して説明する。
【００５３】
＜利用者プロファイル情報更新部１１１が実行する更新処理＞
まず、利用者プロファイル情報更新部１１１が実行する記憶ユニット１２０内の利用者プロファイル情報ＵＰＩの更新処理について説明する。
【００５４】
かかる更新処理に際しては、図５に示されるように、まず、ステップＳ１１において、利用者プロファイル情報更新部１１１が、利用者ＩＤ、アクセス対象の分野及びアクセス対象が指定されたアクセス対象評価登録情報（単に、「評価登録情報」ともいう）を受信したか否かを判定する。ステップＳ１１における判定の結果が否定的であった場合（ステップＳ１１：Ｎ）には、処理は、後述するステップＳ１３へ進む。
【００５５】
なお、後述するように、当該評価登録情報は、アクセス対象情報検索装置１００から提供された検索情報に含まれる一のアクセス対象へのアクセスの結果に基づいて会員利用者により行われた評価の情報であり、かつ、当該検索情報には評価済みのアクセス対象は含まれない。このため、受信した評価登録情報は、利用者プロファイル情報ＵＰＩ中には、当該評価登録情報において指定されている利用者ＩＤに関連付けられて登録されていないアクセス対象に関連する評価登録情報となっている。
【００５６】
ステップＳ１１における判定の結果が肯定的であった場合（ステップＳ１１：Ｙ）には、処理はステップＳ１２へ進む。このステップＳ１２では、利用者プロファイル情報更新部１１１が、第１更新処理を行う。
【００５７】
かかる第１更新処理に際して、利用者プロファイル情報更新部１１１は、当該評価登録情報において指定されている利用者ＩＤに関連付けて、当該評価登録情報に含まれる『分野』、『アクセス対象』、『評価ポイント』、『お気に入り』及び『ゴミ箱』（図３参照）に関する情報を、利用者プロファイル情報ＵＰＩに追加登録する。なお、当該『分野』が、当該利用者ＩＤに関連付けられて登録されている場合には、利用者プロファイル情報更新部１１１は、当該『分野』に関連付けて『アクセス対象』、『評価ポイント』、『お気に入り』及び『ゴミ箱』に関する情報を、利用者プロファイル情報ＵＰＩに追加登録するようになっている。
【００５８】
次に、利用者プロファイル情報更新部１１１は、当該評価登録情報に含まれる『分野』、『アクセス対象』、『評価ポイント』、『お気に入り』及び『ゴミ箱』に関する情報に基づいて、指定されたアクセス対象に対応するランキング情報ＲＫＩにおけるランキングポイントを更新する。かかるランキングポイントの更新は、次の（１）式に従って行われる（図４を併せて参照）。
ＲＫＰpq,r ← ＲＫＰpq,r＋（今回の評価ポイント、ｋ1・（お気に入り登録の有無）、
又は、ｋ2・（ゴミ箱登録の有無））    …（１）
【００５９】
ここで、（お気に入り登録の有無）は、お気に入り登録があった場合には「１」であり、お気に入り登録がなかった場合には「０」である。また、（ゴミ箱登録の有無）は、ゴミ箱登録があった場合には「１」であり、ゴミ箱登録がなかった場合には「０」である。
【００６０】
なお、本実施形態では、係数ｋ1は「７（最高評価ポイント＋２）」として、係数ｋ2は「−１（最低評価ポイント−２）」としている。
【００６１】
ステップＳ１２の処理が終了すると、処理はステップＳ１３へ進む。
【００６２】
ステップＳ１３では、利用者プロファイル情報更新部１１１が、受信した評価登録情報に口コミ情報が含まれているか否か、すなわち、口コミ情報を受信したか否かを判定する。ステップＳ１３における判定の結果が否定的であった場合（ステップＳ１３：Ｎ）には、処理は、後述するステップＳ１５へ進む。
【００６３】
ステップＳ１３における判定の結果が肯定的であった場合（ステップＳ１３：Ｙ）には、処理はステップＳ１４へ進む。このステップＳ１４では、利用者プロファイル情報更新部１１１が、第２更新処理を行う。かかる第２更新処理に際して、利用者プロファイル情報更新部１１１は、まず、受信した口コミ情報の内容を解析して、当該口コミ情報を記載した会員利用者の志向性情報を生成する。引き続き、利用者プロファイル情報更新部１１１は、ステップＳ１２の処理で追加登録した『アクセス対象』に関連付けて、生成された志向性情報を『その他』として追加登録する。そして、処理はステップＳ１５へ進む。
【００６４】
ステップＳ１５では、利用者プロファイル情報更新部１１１が、利用者ＩＤ、アクセス対象の分野、アクセス対象及び評価ポイントが指定された推奨アクセス対象情報を受信したか否かを判定する。ステップＳ１５における判定の結果が否定的であった場合（ステップＳ１５：Ｎ）には、処理は、後述するステップＳ１７へ進む。
【００６５】
ステップＳ１５における判定の結果が肯定的であった場合（ステップＳ１５：Ｙ）には、処理はステップＳ１６へ進む。このステップＳ１６では、利用者プロファイル情報更新部１１１が、第３更新処理を行う。かかる第３更新処理に際して、利用者プロファイル情報更新部１１１は、まず、推奨アクセス対象情報において指定されている利用者ＩＤに関連付けて、当該推奨アクセス対象情報に含まれる『分野』、『アクセス対象』、『評価ポイント』、『お気に入り』及び『ゴミ箱』に関する情報を、利用者プロファイル情報ＵＰＩに追加登録する。
【００６６】
なお、当該『分野』が、当該利用者ＩＤに関連付けられて登録されている場合には、利用者プロファイル情報更新部１１１は、当該『分野』に関連付けて『アクセス対象』、『評価ポイント』、『お気に入り』及び『ゴミ箱』に関する情報を、利用者プロファイル情報ＵＰＩに追加登録するようになっている。
【００６７】
引き続き、利用者プロファイル情報更新部１１１は、今回の推奨アクセス対象登録に対応するランキング情報ＲＫＩの更新処理を行う。ランキング情報ＲＫＩの更新処理に際して、利用者プロファイル情報更新部１１１は、推奨アクセス対象登録情報に含まれる『分野』、『アクセス対象』、『評価ポイント』、『お気に入り』及び『ゴミ箱』に関する情報に基づいて、指定されたアクセス対象に対応するランキング情報ＲＫＩにおけるランキングポイントを更新する。かかるランキングポイントの更新は、推奨アクセス対象登録の対象のアクセス対象を「ＵＲＬpq,r」として、次の（２）式に従って行われる。
ＲＫＰpq,r ← ＲＫＰpq,r＋（今回の評価ポイント、ｋ3・（お気に入り登録の有無）、
又は、ｋ4・（ゴミ箱登録の有無））    …（１）
【００６８】
ここで、上述した（１）式の場合と同様に、（お気に入り登録の有無）は、お気に入り登録があった場合には「１」であり、お気に入り登録がなかった場合には「０」である。また、（ゴミ箱登録の有無）は、ゴミ箱登録があった場合には「１」であり、ゴミ箱登録がなかった場合には「０」である。
【００６９】
なお、本実施形態では、係数ｋ3は（１）式における係数ｋ1よりも大きな値とし、かつ、係数ｋ4は（１）式における係数ｋ2よりも小さな値としている。
【００７０】
こうしてステップＳ１６の処理が終了すると、処理はステップＳ１７へ進む。
【００７１】
ステップＳ１７では、利用者プロファイル情報更新部１１１が、利用者ＩＤの指定を含む登録内容変更情報を受信したか否か判定する。ステップＳ１７における判定の結果が否定的であった場合（ステップＳ１７：Ｎ）には、処理は、後述するステップＳ１９へ進む。
【００７２】
ステップＳ１７における判定の結果が肯定的であった場合（ステップＳ１７：Ｙ）には、処理はステップＳ１８へ進む。このステップＳ１８では、利用者プロファイル情報更新部１１１が、第４更新処理を行う。かかる第４更新処理に際して、利用者プロファイル情報更新部１１１は、登録内容変更情報に従って、利用者プロファイル情報ＵＰＩにおいて利用者ＩＤに関連付けて登録されている内容を変更する。
【００７３】
こうした登録内容変更に際しては、既に登録された評価ポイントの変更を伴うか否かにかかわらず、登録内容の変更ができるようになっている。ここで、『評価ポイント』、『お気に入り』及び『ゴミ箱』のいずれに関しても登録されていない未評価のアクセス対象に対しては、『評価ポイント』、『お気に入り』及び『ゴミ箱』に関する登録への登録変更をすることができる。また、『評価ポイント』に関する登録が行われているアクセス対象に対しては、『評価ポイント』における評価ポイントの登録変更や、『お気に入り』及び『ゴミ箱』に関する登録への登録変更をすることができる。なお、『ゴミ箱』に関する登録への登録変更の際には、既に評価ポイントに関する登録が行われている場合には、当該評価ポイントはクリアされる。
【００７４】
また、『お気に入り』に関する登録が行われているアクセス対象に対しては、『評価ポイント』のみへの登録変更及び『ゴミ箱』に関する登録への登録変更をすることができる。この場合、『評価ポイント』に関する登録への登録変更をする場合には、『お気に入り』に関する登録に際して付与された評価ポイントも登録変更することができるようになっている。また、『ゴミ箱』に関する登録への登録変更の際には、既に登録されている評価ポイントはクリアされる。
【００７５】
さらに、『ゴミ箱』に関する登録が行われているアクセス対象に対しては、評価ポイントがクリア状態にあるため、未評価のアクセス対象への登録変更をすることができる。なお、『ゴミ箱』に関する登録が行われているアクセス対象に対しては、『評価ポイント』に関する登録変更ができるようにしてもよい。
【００７６】
ステップＳ１８の処理が終了すると、処理はステップＳ１９へ進む。
【００７７】
ステップＳ１９では、利用者プロファイル情報更新部１１１が、利用者ＩＤの指定を含む会員初期登録情報又は会員登録抹消情報を、アクセス対象情報提供部１１２から受けたか否か判定する。ステップＳ１９における判定の結果が肯定的であった場合（ステップＳ１９：Ｙ）には、処理はステップＳ２０へ進む。
【００７８】
ステップＳ２０では、会員初期登録情報を受けた場合には、利用者プロファイル情報更新部１１１が、当該会員初期登録情報に従って、指定された利用者ＩＤに対応する会員初期登録情報を、記憶ユニット１２０内の利用者プロファイル情報ＵＰＩに追加登録する。なお、会員初期登録情報には、利用者ＩＤの指定に加えて、デモグラフィック情報が含まれるようになっている。また、上述したように、デモグラフィック情報には、年齢及び性別が少なくとも含まれる。
【００７９】
また、会員登録抹消情報を受けた場合には、当該会員登録抹消情報において指定された利用者ＩＤ及び当該利用者ＩＤに関連付けられている情報を利用者プロファイル情報ＵＰＩから抹消する。なお、本実施形態では、当該会員登録抹消が行われても、ランキング情報ＲＫＩの更新は行わないようになっている。
【００８０】
こうしてステップＳ２０の処理が終了すると、処理はステップＳ１１へ戻る。また、上述したステップＳ１９における判定の結果が否定的であった場合（ステップＳ１９：Ｎ）にも、処理はステップＳ１１へ戻る。以後、ステップＳ１１〜Ｓ２０の処理が繰り返され、利用者プロファイル情報ＵＰＩ及びランキング情報ＲＫＩの更新が行われる。
【００８１】
＜アクセス対象情報提供部１１２が実行するサービス提供処理＞
次に、アクセス対象情報提供部１１２が実行するサービス提供処理について説明する。なお、当該サービス提供処理は、上述した利用者プロファイル情報更新部１１１が実行する更新処理と並行して実行される。
【００８２】
アクセス対象情報提供部１１２が実行するサービス提供処理は、利用者により送信されたサービス提供要求に応答して開始する。なお、サービス提供処理では、サービス提供要求ごとに個別サービス提供処理が行われる。そして、複数の個別サービス提供処理を行う場合には、互いに並行して実行される。ここで、個別サービス提供処理には、個別会員利用者向サービス提供処理及び個別非会員利用者向サービス提供処理がある。
【００８３】
アクセス対象情報提供部１１２は、サービス提供要求を受信すると、まず、当該サービス提供要求が、会員利用者により送信されたのか、非会員利用者により送信されたのかを判定する。そして、当該サービス提供要求が会員利用者により送信されたと判定された場合には、アクセス対象情報提供部１１２は、当該サービス提供要求に応じた個別会員利用者向サービス提供処理を開始する。また、当該サービス提供要求が非会員利用者により送信されたと判定された場合には、アクセス対象情報提供部１１２は、当該サービス提供要求に応じた個別非会員利用者向サービス提供処理を開始する。以下、個別会員利用者向サービス提供処理及び個別非会員利用者向サービス提供処理を順次説明する。
【００８４】
ここで、会員利用者が発行するサービス提供要求には、利用者ＩＤ、会員認証情報、及び、会員利用者が使用している利用者端末装置の識別子が含まれるようになっている。一方、非会員利用者が発行するサービス提供要求には、会員利用者が使用している利用者端末装置の識別子が含まれるようになっている。
【００８５】
《個別会員利用者向サービス提供処理》
まず、個別会員利用者向サービス提供処理について説明する。
【００８６】
個別会員利用者向サービス提供処理に際しては、図６に示されるように、まず、ステップＳ２１において、アクセス対象情報提供部１１２が、会員利用者用のサービス指定画面情報を、サービス提供要求を発行した会員利用者が使用している利用者端末装置へ送信する。この結果、当該利用者端末装置には、会員利用者用のサービス指定画面が表示される。そして、会員利用者がサービス指定を行うと、当該サービス指定を含むサービス提供要求が、当該利用者端末装置からアクセス対象情報検索装置１００へ送信される。
【００８７】
なお、本実施形態では、ステップＳ２１で送信されたサービス指定画面情報に応じて表示されたサービス指定画面を利用して、会員利用者が、検索分野（大分類キーワード及び小分類キーワード）を入力したうえで検索要求を指定すると、アクセス対象情報検索装置１００へは、検索要求が送信されるようになっている。ここで、サービス指定画面には、検索結果の中から選択されたアクセス対象の閲覧の終了後に、当該アクセス対象の評価登録の入力を行うための評価登録入力用領域が含まれるようになっている。また、検索要求では、会員利用者の志向性に基づく検索であるのか、ランキング情報ＲＫＩに基づく検索であるのかが指定されるようになっている。
【００８８】
また、サービス指定画面を利用して、会員利用者が推奨アクセス対象登録をサービス指定として選択すると、アクセス対象情報検索装置１００へは、推奨アクセス対象登録要求が送信されるようになっている。さらに、サービス指定画面を利用して、会員利用者が会員登録抹消をサービス指定として選択すると、アクセス対象情報検索装置１００へは、会員登録抹消要求が送信されるようになっている。
【００８９】
次に、ステップＳ２２において、アクセス対象情報提供部１１２が、サービス提供要求を受信したか否かを判定する。ステップＳ２２における判定の結果が否定的であった場合（ステップＳ２２：Ｎ）には、ステップＳ２２の処理が繰り返される。
【００９０】
サービス提供要求を受信し、ステップＳ２２における判定の結果が肯定的となると（ステップＳ２２：Ｙ）、処理はステップＳ２３へ進む。このステップＳ２３では、アクセス対象情報提供部１１２が、サービス提供要求が検索要求であるか否かを判定する。
【００９１】
ステップＳ２３における判定の結果が肯定的であった場合（ステップＳ２３：Ｙ）には、処理はステップＳ２４へ進む。このステップＳ２４では、アクセス対象情報提供部１１２が、会員利用者用の検索処理を行う。
【００９２】
なお、ステップＳ２４における会員利用者用の検索処理の詳細については、後述する。
【００９３】
ステップＳ２４における処理が終了すると、処理はステップＳ２５へ進む。このステップＳ２５では、アクセス対象情報提供部１１２が、ステップＳ２４におけるアクセス対象の検索処理の結果を、アクセス対象の検索情報として、当該検索要求を行った利用者が使用している利用者端末装置へ送信する。この後、今回の個別会員利用者向サービス提供処理が終了する。
【００９４】
なお、アクセス対象情報検索装置１００から送信された検索情報は、当該利用者端末装置に表示される。かかる検索情報において示されるアクセス対象の１つを利用者が選択すると、選択されたアクセス対象の利用者による閲覧が可能となる。そして、閲覧が終了すると、サービス指定画面が再度表示される。
【００９５】
このサービス指定画面における上述した評価登録入力用領域を利用して、評価ポイント登録指定、お気に入り登録指定、ゴミ箱登録指定、及び、口コミ情報指定を行うことが可能となっている。ここで、上述したように、お気に入り登録指定は、評価ポイント登録指定とともに行うことができるようになっている。また、ゴミ箱登録指定は、評価ポイント登録指定の有無にかかわらず行うことができるようになっている。そして、こうした評価登録指定の入力が行われると、評価登録情報が、アクセス対象情報検索装置１００へ送信されるようになっている。
【００９６】
この結果、閲覧を行ったアクセス対象に対する評価登録情報における評価ポイント登録指定、お気に入り登録指定及びゴミ箱登録指定に対応する情報に基づいて、アクセス対象情報検索装置１００において、上述した図５のステップＳ１２の処理が実行され、利用者プロファイル情報ＵＰＩが更新される。また、当該評価登録情報に口コミ情報が含まれている場合には、アクセス対象情報検索装置１００において、上述した図５のステップＳ１４の処理が実行され、利用者プロファイル情報ＵＰＩが更新される。
【００９７】
上述したステップＳ２３における判定の結果が否定的であった場合（ステップＳ２３：Ｎ）には、処理はステップＳ２６へ進む。このステップＳ２６では、アクセス対象情報提供部１１２が、検索処理以外のサービス提供処理を実行する。そして、ステップＳ２６の処理が終了すると、今回の個別会員利用者向サービス提供処理が終了する。
【００９８】
なお、ステップＳ２６における検索処理以外のサービス提供処理の詳細については、後述する。
【００９９】
（ステップＳ２４における会員利用者用の検索処理）
次に、ステップＳ２４における会員利用者用の検索処理について説明する。
【０１００】
かかる会員利用者用の検索処理に際しては、図７に示されるように、まず、ステップＳ３０において、アクセス対象情報提供部１１２が、志向性に基づく検索要求か否かを判定する。ステップＳ３０における判定の結果が肯定的であった場合（ステップＳ３０：Ｙ）には、処理はステップＳ３１へ進む。
【０１０１】
ステップＳ３１では、アクセス対象情報提供部１１２が、記憶ユニット１２０内の利用者プロファイル情報ＵＰＩを参照して、検索要求を行った会員利用者と同様の志向性を有すると推定される他の会員利用者を特定する。
【０１０２】
かかる他の会員利用者の特定に際して、アクセス対象情報提供部１１２は、分野を問わないで、検索要求を行った会員利用者と比べて、アクセス対象の評価登録の内容に、予め定めた程度以上に正の相関がある（すなわち、類似性がある）会員利用者のうち、類似性の高い順に、所定人数の会員利用者を他の会員利用者として特定するという第１手法を用いた特定を行う。第１手法により特定される他の会員利用者が所定人数よりも非常に少ない（例えば、半数未満）の場合には、口コミ情報から抽出された志向性情報の類似性に基づいて、特定される他の会員利用者の増員を図る第２手法を用いた特定を行う。そして、第２手法を用いても、特定される他の会員利用者が所定人数よりも非常に少ない場合には、デモグラフィック情報の類似性に基づいて、特定される他の会員利用者の増員を図る第３手法を用いた特定を行う。例えば、会員登録後の会員利用者のように、第１及び第２手法では他の会員利用者を１人も特定できない場合に、第３の手法が用いられる。
【０１０３】
なお、他の会員利用者の特定は、新たな検索要求を受信するたびに行うようにしてもよいし、会員利用者ごとに定期的に上述の特定処理を行うようにし、検索要求を受信した時点における特定内容を、検索要求を受信した時点で採用するようにしてもよい。
【０１０４】
次に、ステップＳ３２において、アクセス対象情報提供部１１２が、検索要求で指定された分野に属し、検索要求を行った会員利用者による評価が未評価状態であり、かつ、特定された他の会員利用者内で高評価である第１アクセス対象群の抽出を行う。かかる第１アクセス対象群の抽出に際して、アクセス対象情報提供部１１２は、検索要求で指定された分野に属し、検索要求を行った会員利用者による評価が未評価状態にあるアクセス対象のそれぞれの総合ポイントＴＰＴを、次の（２）式により算出する。
ＴＰＴ＝ＳＥＭ＋ｋ5・Ａ＋ｋ6・Ｂ                          …（２）
【０１０５】
ここで、「ＳＥＭ」は、他の会員利用者による評価ポイントの和である。また、「Ａ」は、他の会員利用者のうちでお気に入り登録をした人数である。また、「Ｂ」は、他の会員利用者のうちでゴミ箱登録をした人数である。
【０１０６】
また、係数ｋ5は、上述した（１）式の係数ｋ1と同一の値であってもよいし、正の値であれば、係数ｋ1とは異なる値であってもよい。また、係数ｋ6は、上述した（１）式の係数ｋ2と同一の値であってもよいし、係数ｋ5よりも小さな値であれば、係数ｋ2とは異なる値であってもよい。
【０１０７】
引き続き、アクセス対象情報提供部１１２は、総合ポイントＴＰＴが高い順に最大で第１所定数（例えば、５０個）のアクセス対象を、他の会員利用者内で高評価であったアクセス対象として抽出する。こうして抽出されたアクセス対象が第１アクセス対象群を構成する。
【０１０８】
次いで、ステップＳ３３において、アクセス対象情報提供部１１２が、検索要求で指定された分野に属し、検索要求を行った会員利用者による評価が未評価状態であり、かつ、特定された他の会員利用者内で低評価である第２アクセス対象群の抽出を行う。かかる第２アクセス対象群の抽出に際して、アクセス対象情報提供部１１２は、上述の（２）式により算出された総合ポイントＴＰＴが低い順に最大で第２所定数（例えば、２０個）のアクセス対象を、他の会員利用者内で低評価であったアクセス対象として抽出する。こうして抽出されたアクセス対象が第２アクセス対象群を構成する。
【０１０９】
次に、ステップＳ３４において、アクセス対象情報提供部１１２が、第１アクセス対象群及び第２アクセス対象群に基づいて、提供アクセス対象候補を抽出する。かかる提供アクセス対象候補の抽出に際して、アクセス対象情報提供部１１２は、第１アクセス対象群及び第２アクセス対象群の双方に含まれるアクセス対象を第１アクセス対象群から除いた結果を、提供アクセス対象候補として抽出する。
【０１１０】
次いで、ステップＳ３５において、アクセス対象情報提供部１１２が、抽出された提供アクセス対象候補から、総合ポイントＴＰＴが高い順に、最大で、予め定められた第１の数（例えば、３０個）のアクセス対象を選択することにより、提供アクセス対象を決定する。こうして決定された提供アクセス対象が検索結果となる。
【０１１１】
ステップＳ３５の処理が終了すると、ステップＳ２４の処理が終了する。そして、処理は、上述した図６のステップＳ２５へ進む。
【０１１２】
上述したステップＳ３０における判定の結果が否定的であった場合（ステップＳ３０：Ｎ）には、処理はステップＳ３６へ進む。このステップＳ３６では、ランキング情報ＲＫＩに基づく検索処理を行う。かかるランキング情報ＲＫＩに基づく検索処理に際して、アクセス対象情報提供部１１２は、記憶ユニット１２０内のランキング情報ＲＫＩを参照し、ランキングポイントＲＫＰpq,rが高い順に、提供アクセス対象候補として抽出していく。
【０１１３】
こうして抽出された提供アクセス対象候補の数が、上述した第１の数に達すると、ステップＳ３７において、当該第１の数の提供アクセス対象候補を提供アクセス対象に決定する。こうして決定された提供アクセス対象が検索処理の結果となる。
【０１１４】
ステップＳ３７の処理が終了すると、ステップＳ２４の処理が終了する。そして、処理は、上述した図６のステップＳ２５へ進む。
【０１１５】
（ステップＳ２６における検索処理以外のサービス提供処理）
次に、上述したステップＳ２６における検索処理以外のサービス提供処理について説明する。
【０１１６】
検索処理以外のサービス提供処理に際しては、図８に示されるように、まず、ステップＳ４１において、アクセス対象情報提供部１１２が、サービス提供要求が推奨アクセス対象の登録要求であるか否かを判定する。
【０１１７】
ステップＳ４１における判定の結果が肯定的であった場合（ステップＳ４１：Ｙ）には、処理はステップＳ４２へ進む。このステップＳ４２では、アクセス対象情報提供部１１２が、推奨アクセス対象登録用の画面情報を、サービス提供要求を発行した会員利用者が使用している利用者端末装置へ送信する。
【０１１８】
なお、本実施形態では、ステップＳ４２で送信された推奨アクセス対象登録用の画面情報に応じて表示された推奨アクセス対象登録用画面を利用して、会員利用者が、分野（大分類キーワード及び小分類キーワード）の特定、推奨アクセス対象及び評価ポイントを入力すると、アクセス対象情報検索装置１００へ、推奨アクセス対象情報が送信されるようになっている。この結果、推奨アクセス対象情報に基づいて、アクセス対象情報検索装置１００において、上述した図５のステップＳ１６の処理が実行され、利用者プロファイル情報ＵＰＩが更新される。
【０１１９】
こうしてステップＳ４２の処理が終了すると、ステップＳ２６の処理が終了する。この結果、今回の個別会員利用者向サービス提供処理が終了する（図６参照）。
【０１２０】
上述したステップＳ４１における判定の結果が否定的であった場合（ステップＳ４１：Ｎ）には、処理はステップＳ４３へ進む。このステップＳ４３では、アクセス対象情報提供部１１２が、サービス提供要求が登録内容変更要求であるか否かを判定する。ステップＳ４３における判定の結果が肯定的であった場合（ステップＳ４３：Ｙ）には、処理はステップＳ４４へ進む。このステップＳ４４では、アクセス対象情報提供部１１２が、登録内容変更用の画面情報を、サービス提供要求を発行した会員利用者が使用している利用者端末装置へ送信する。
【０１２１】
なお、本実施形態では、ステップＳ４４で送信された登録内容変更用の画面情報に応じて表示された登録内容変更用画面を利用して、会員利用者が、登録内容の変更に関する入力を行うと、アクセス対象情報検索装置１００へ、登録内容変更情報が送信されるようになっている。この結果、登録内容変更情報に基づいて、アクセス対象情報検索装置１００において、上述した図５のステップＳ１８の処理が実行され、利用者プロファイル情報ＵＰＩが更新される。
【０１２２】
こうしてステップＳ４４の処理が終了すると、ステップＳ２６の処理が終了する。この結果、今回の個別会員利用者向サービス提供処理が終了する。
【０１２３】
上述したステップＳ４３における判定の結果が否定的であった場合（ステップＳ４３：Ｎ）には、処理はステップＳ４５へ進む。このステップＳ４５では、サービス提供要求が会員登録抹消要求であるか否かを判定する。ステップＳ４５における判定の結果が肯定的であった場合（ステップＳ４５：Ｙ）には、処理はステップＳ４６へ進む。
【０１２４】
ステップＳ４６では、アクセス対象情報提供部１１２が、会員登録抹消処理を行う。かかる会員登録抹消処理には、サービス提供要求に含まれる利用者ＩＤを会員登録抹消情報として利用者プロファイル更新部１１１へ送信する処理が含まれている。
【０１２５】
なお、当該会員登録抹消情報を受けると、利用者プロファイル更新部１１１は、上述した図５のステップＳ２０を実行して、利用者プロファイル情報ＵＰＩを更新する。
【０１２６】
こうしてステップＳ４６の処理が終了すると、ステップＳ２６の処理が終了する。この結果、今回の個別会員利用者向サービス提供処理が終了する。
【０１２７】
上述したステップＳ４５における判定の結果が否定的であった場合（ステップＳ４５：Ｎ）には、ステップＳ２６の処理が終了する。この結果、今回の個別会員利用者向サービス提供処理が終了する。
【０１２８】
《個別非会員利用者向サービス提供処理》
次に、個別非会員利用者向サービス提供処理について説明する。
【０１２９】
個別非会員利用者向サービス提供処理に際しては、図９に示されるように、まず、ステップＳ５１において、アクセス対象情報提供部１１２が、非会員利用者用のサービス指定画面情報を、サービス提供要求を発行した非会員利用者が使用している利用者端末装置へ送信する。この結果、当該利用者端末装置には、非会員利用者用のサービス指定画面が表示される。そして、非会員利用者がサービス指定を行うと、当該サービス指定を含むサービス提供要求が、当該利用者端末装置からアクセス対象情報検索装置１００へ送信される。
【０１３０】
次に、ステップＳ５２において、アクセス対象情報提供部１１２が、サービス提供要求を受信したか否かを判定する。ステップＳ５２における判定の結果が否定的であった場合（ステップＳ５２：Ｎ）には、ステップＳ５２の処理が繰り返される。
【０１３１】
サービス提供要求を受信し、ステップＳ５２における判定の結果が肯定的となると（ステップＳ５２：Ｙ）、処理はステップＳ５３へ進む。このステップＳ５３では、アクセス対象情報提供部１１２が、サービス提供要求が検索要求であるか否かを判定する。
【０１３２】
ステップＳ５３における判定の結果が肯定的であった場合（ステップＳ５３：Ｙ）には、処理はステップＳ５４へ進む。このステップＳ５４では、アクセス対象情報提供部１１２が、非会員利用者用の検索処理を行う。かかる非会員利用者用の検索処理に際して、アクセス対象情報提供部１１２は、記憶ユニット１２０内のランキング情報ＲＫＩを参照し、ランキングポイントＲＫＰpq,rが高い順に、最大で、予め定められた第２の数（例えば、１０個）のアクセス対象を選択することにより、提供アクセス対象を決定する。こうして決定された提供アクセス対象が検索処理の結果となる。
【０１３３】
次いで、ステップＳ５５において、アクセス対象情報提供部１１２が、検索結果を、アクセス対象の検索情報として、当該検索要求を行った利用者が使用している利用者端末装置へ送信する。こうしてステップＳ５５の処理が終了すると、今回の個別非会員利用者向サービス提供処理が終了する。
【０１３４】
上述したステップＳ５３における判定の結果が否定的であった場合（ステップＳ５３：Ｎ）には、処理はステップＳ５６へ進む。このステップＳ５６では、アクセス対象情報提供部１１２が、サービス提供要求が会員登録要求であるか否かを判定する。ステップＳ５６における判定の結果が否定的であった場合には、今回の個別非会員利用者向サービス提供処理が終了する。
【０１３５】
上述したステップＳ５６における判定の結果が肯定的であった場合（ステップＳ５６：Ｎ）には、処理はステップＳ５７へ進む。このステップＳ５７では、アクセス対象情報提供部１１２が、会員登録処理を行う。かかる会員登録処理に際して、アクセス対象情報提供部１１２は、デモグラフィック情報等を入力するための会員登録用画面情報を、サービス提供要求を行った利用者が使用している利用者端末装置へ送る。この結果、当該利用者端末装置には、非会員利用者用の会員登録用画面が表示される。そして、非会員利用者が会員登録用の情報（デモグラフィック情報等）を入力すると、当該情報が当該利用者端末装置からアクセス対象情報検索装置１００へ送信される。
【０１３６】
アクセス対象情報検索装置１００では、アクセス対象情報提供部１１２が、利用者端末装置から送信された会員登録用の情報を受信する。そして、アクセス対象情報提供部１１２は、非会員利用者に対し会員ＩＤ、会員認証用情報等を付与し、当該非会員利用者に通知する。この後、アクセス対象情報提供部１１２は、当該会員ＩＤ及びデモグラフィック情報を、会員初期登録情報として、利用者プロファイル更新部１１１へ送信する。
【０１３７】
こうして会員初期登録情報を送信すると、ステップＳ５６処理が終了する。そして、今回の個別非会員利用者向サービス提供処理が終了する。
【０１３８】
なお、利用者プロファイル更新部１１１は、会員初期登録情報を受けると、上述した図５のステップＳ２０の処理を実行し、会員初期登録情報に基づいて、利用者プロファイル情報ＵＰＩを更新する。
【０１３９】
以上説明したように、本実施形態のアクセス対象情報検索装置１００では、提供された検索情報を参照したアクセス対象へのアクセス、及び、アクセスされたアクセス対象の評価登録であるアクセス対象評価登録が会員利用者により行われた場合に、利用者プロファイル情報更新部１１１が、当該アクセス対象評価登録が行われたアクセス対象と、当該アクセス対象評価登録の内容とを関連付け、アクセスを行った会員利用者の利用者属性情報の１つとして、利用者プロファイル情報ＵＰＩに登録する。また、一の会員利用者により指定された分野のアクセス対象の検索情報の要求を受信した場合に、アクセス対象情報提供部１１２が、利用者プロファイル情報ＵＰＩに基づいて、当該一の会員利用者と同様の志向性を有すると推定される他の会員利用者を特定し、当該他の会員利用者ごとの指定された分野のアクセス対象ごとのアクセス対象評価登録の内容に基づいて、一の会員利用者が既にアクセス対象評価登録を行ったアクセス対象を除いたアクセス対象の検索情報を生成する。そして、アクセス対象情報提供部１１２が、生成された検索情報を当該一の会員利用者に提供する。
【０１４０】
したがって、本実施形態のアクセス対象情報検索装置１００によれば、個々の利用者の志向性に適合した有用なアクセス対象への効率的なアクセスを支援することにより、利用者の利便性を向上させることができる。
【０１４１】
本実施形態のアクセス対象情報検索装置１００では、検索情報の生成に際して、アクセス対象情報提供部１１２が、まず、一の会員利用者が高評価のアクセス対象評価登録を行ったアクセス対象に対して、同様のアクセス対象評価登録を行った当該一の会員利用者以外の会員利用者を特定する。引き続き、アクセス対象情報提供部１１２は、当該特定された会員利用者の利用者プロファイル情報と当該一の会員利用者の利用者プロファイル情報とから評価された志向類似性に基づいて、他の会員利用者を特定する。
【０１４２】
次に、アクセス対象情報提供部１１２は、他の会員利用者ごとの検索対象として指定された分野のアクセス対象ごとのアクセス対象評価登録の内容に基づいて、当該指定された分野において、他の会員利用者内で高評価であったと判断されるアクセス対象の群である第１アクセス対象群と、当該指定された分野において低評価であったと判断されるアクセス対象の群である第２アクセス対象群とを抽出する。そして、アクセス対象情報提供部１１２は、第１アクセス対象群及び第２アクセス対象群の双方に含まれるアクセス対象を第１アクセス対象群から除いた結果に基づいて、検索情報を生成する。
【０１４３】
このため、個々の利用者の志向性に適合した有用なアクセス対象を合理的に検索することができる。
【０１４４】
また、本実施形態のアクセス対象情報検索装置１００では、アクセス対象評価登録には、評価が高いほど高くなる評価ポイントの登録が含まれている。そして、アクセス対象情報提供部１１２が、指定された分野のアクセス対象ごとの他の会員利用者により登録された評価ポイントの総計に基づいて、指定された分野のアクセス対象ごとに、高評価であったか、及び、低評価であったかを判断する。このため、他の会員利用者内で、高評価であったか、及び、低評価であったかを、簡易に、かつ、合理的に判断することができる。
【０１４５】
本実施形態のアクセス対象情報検索装置１００では、アクセス対象評価登録には、アクセス対象評価登録が行われたアクセス対象のお気に入り登録（再利用登録）の有無、及び、アクセス対象評価登録を行ったアクセス対象の廃棄登録（ゴミ箱）の有無が更に含まれる。そして、アクセス対象情報提供部１１２が、指定された分野のアクセス対象ごとの他の会員利用者による再利用登録の総数及び廃棄登録の総数に更に基づいて、指定された分野のアクセス対象ごとに、高評価であったか、及び、低評価であったかを判断する。このため、他の会員利用者内で、高評価であったか、及び、低評価であったかを、更に合理的に判断することができる。
【０１４６】
また、本実施形態のアクセス対象情報検索装置１００では、利用者プロファイル情報更新部１１１が、会員利用者が作成したコメント情報（口コミ情報）を受信した場合に、当該コメント情報の内容を解析して、当該コメント情報を送信した会員利用者の志向性情報を生成する。そして、利用者プロファイル情報更新部１１１が、生成された志向性情報を、コメント情報を送信した会員利用者の利用者属性情報の１つとして、利用者プロファイル情報ＵＰＩに登録する。このため、利用者の志向性が反映されるコメント情報を利用者属性情報の１つとして登録するので、利用者属性情報に基づく会員利用者間における志向性の類似性判断のための情報を豊富化させることができる。
【０１４７】
また、本実施形態のアクセス対象情報検索装置１００では、利用者プロファイル情報更新部１１１が、会員利用者が指定した推奨アクセス対象の情報を受信した場合に、推奨アクセス対象に関するアクセス対象評価情報を、利用者プロファイル情報ＵＰＩに登録する。このため、会員利用者が指定した推奨アクセス対象の当該会員利用者の評価結果を登録することができる。
【０１４８】
また、本実施形態のアクセス対象情報検索装置１００では、アクセス対象情報提供部１１２が、会員利用者による検索要求を受信した場合に、最大で第１の数のアクセス対象候補を含む検索情報を、当該検索要求を行った会員利用者に提供する。このため、最大で第１の数のアクセス対象候補という厳選されたアクセス対象候補の情報が、検索要求を行った会員利用者に提供されるので、少ない情報量で、当該会員利用者にとって個々の利用者の志向性に適合した有用なアクセス対象の検索情報が提供できる。
【０１４９】
また、本実施形態のアクセス対象情報検索装置１００では、アクセス対象情報提供部１１２が、会員利用者によるアクセス対象評価登録の結果に基づいて、分野ごとのアクセス対象のランキングを作成する。そして、アクセス対象情報提供部１１２は、非会員利用者により指定された分野のアクセス対象の検索情報の要求を受信した場合に、当該ランキングに基づいて、第１の数よりも少ない第２の数を上限として、第２の数以下のアクセス対象候補を含む検索情報を生成し、検索要求を行った非会員利用者に提供する。このため、アクセス対象情報検索装置１１０にとって有益なアクセス対象評価登録を行ってくれる会員利用者と、アクセス対象評価登録を行ってくれない非会員利用者との間で、提供される検索情報の内容に合理的な差異を設けることができる。
【０１５０】
［実施形態の変形］
本発明は、上記の実施形態に限定されるものではなく、様々な変形が可能である。
【０１５１】
例えば、上記の実施形態で例示した数値は一例であり、本発明の趣旨の範囲内で別の数値を採用することができる。
【０１５２】
また、上記の実施形態で示した会員利用者のアクセス対象の評価登録の内容に、他の内容を追加することができる。例えば、アクセス対象に対するアクセス回数、パーソナルコンピュータにマッチしたアクセス対象であるか、スマートファンにマッチしたアクセス対象であるか等を評価登録の内容として追加することができる。
【０１５３】
また、検索処理に際して、検索時点で反社会的な内容となっていると推定されているアクセス対象を除外する処理を、上記の実施形態の処理に加えるようにしてもよい。
【０１５４】
また、上記の実施形態では、会員登録が抹消された場合であってもランキングポイントＲＫＰは、当該抹消によって変化しないようにした。これに対し、抹消登録された会員が評価登録していた分だけ、ランキングポイントＲＫＰを減少させるようにしてもよい。
【０１５５】
また、大分類キーワードの指定は、文字入力指定であってもよいし、予め用意されているプルダウンメニューからの選択指定であってもよい。なお、アクセス対象情報検索装置が、一の大分類キーワードで特定される範囲での検索を行うのであれば、大分類キーワードの指定を不要とすることができる。
【０１５６】
また、上記の実施形態では、会員用検索処理におけるランキング情報に基づく検索処理で参照するランキング情報と、非会員用検索処理で参照するランキング情報とを同一とした。これに対し、これらのランキング情報を互いに異なるものとしてもよい。こうした２つのランキング情報は、上述した第１及び第３更新処理において、少なくとも１つの係数を互いに異なる値とすることにより、互いに異なる２つのランキング情報をそれぞれ更新するようにすればよい。
【０１５７】
また、上記の実施形態では、一の装置によりアクセス対象情報検索装置を構成するようにしたが、互いに通信可能な複数の装置によりアクセス対象情報検索装置を構成するようにしてもよい。
【０１５８】
また、上記の実施形態では、アクセス対象情報検索装置が、直接的にインターネットを介して通信可能とした。これに対し、アクセス対象情報検索装置が、ＷＥＢサーバを介して、通信可能な構成としてもよい。
【０１５９】
また、上記の実施形態では、利用者端末装置によるアクセス対象を、インターネットを介して、利用者端末装置がアクセス可能なＷＥＢサイト又はコンテンツとした。これに対し、利用者端末装置によるアクセス対象を、イントラネットを介して、利用者端末装置がアクセス可能なコンテンツ等とすることができる。
【産業上の利用可能性】
【０１６０】
以上説明したように、本発明のアクセス対象情報検索装置は、個々の利用者による有用なアクセス対象への効率的なアクセスを支援する際に適用することができる。
【符号の説明】
【０１６１】
１００  …  アクセス対象情報検索装置
１１０  …  処理制御ユニット
１１１  …  利用者プロファイル情報更新部
１１２  …  アクセス対象情報提供部
１２０  …  記憶ユニット（利用者プロファイル情報記憶部）
１３０  …  外部通信ユニット
３００  …  利用者端末装置
４００  …  ＷＥＢサイトサーバ
５００  …  インターネット
ＵＰＩ  …  利用者プロファイル情報
ＲＫＩ  …  ランキング情報
【図１】
2020004324.tif 000003
【図２】
2020004324.tif 000004
【図３】
2020004324.tif 000005
【図４】
2020004324.tif 000006
【図５】
2020004324.tif 000007
【図６】
2020004324.tif 000008
【図７】
2020004324.tif 000009
【図８】
2020004324.tif 000010
【図９】
2020004324.tif 000011